(57)【要約】  本発明は、洗浄時に貯水槽となる洗浄槽と、洗浄槽の上方に設けられるバランスリングと、洗浄槽とバランスリングの間からの水の溢出を防止するよう配置される密封構造、を含む洗濯機について開示する。本発明の洗浄槽は、容量を増大するとの作用を実現する。且つ、洗浄槽とバランスリングの間に密封構造を設けることで、洗浄槽とバランスリングの間から水が洗浄槽の外側に溢れ出し、長期間にわたる飛散によって、洗濯機の筐体又はその他の部材が腐食したり、回路が短絡したりするとの事態を防止する。【選択図】図１
2021517020.tif 000002
【特許請求の範囲】
【請求項１】
洗浄時に貯水槽となる洗浄槽と、
洗浄槽の上方に設けられるバランスリングと、
洗浄槽とバランスリングの間に設けられて、洗浄槽とバランスリングの間からの水の溢出を防止するよう配置される密封構造、を含むことを特徴とする洗濯機。
【請求項２】
前記バランスリングには装着部が設けられており、前記洗浄槽の上端には、装着部と係合する係合部が設けられており、前記密封構造は装着部と係合部の間に設けられることを特徴とする請求項１に記載の洗濯機。
【請求項３】
前記装着部は、開口が下方を向く環状の凹溝を含み、前記係合部は環状の凹溝の内部に伸入する支持体を含み、前記密封構造は環状の凹溝と支持体の間に設けられ、好ましくは、前記支持体はなだらかな支持体であることを特徴とする請求項２に記載の洗濯機。
【請求項４】
前記環状の凹溝はバランスリングの外側壁に設けられ、
好ましくは、前記バランスリングの外側壁は、部分的に内周に向かって延伸することで環状の凹溝における環状の上部を形成し、当該環状の上部の外端に位置するバランスリングの外側壁は、引き続きバランスリングの底部に向かって延伸することで環状の凹溝の外環壁を形成し、環状の上部の内端に位置するバランスリングの外側壁は、バランスリングの底部に向かって延伸することで環状の凹溝の内環壁を形成し、
より好ましくは、前記密封構造は環状の上部と支持体の間に設けられることを特徴とする請求項３に記載の洗濯機。
【請求項５】
前記内環壁は外環壁よりも突出してバランスリングの底部に向かって延伸し、好ましくは、突出した部分と支持体の下端における洗浄槽がネジにより密封接続されることを特徴とする請求項４に記載の洗濯機。
【請求項６】
前記なだらかな支持体は、洗浄槽の上端から外側に辺縁を巻き込むことで形成されることを特徴とする請求項３に記載の洗濯機。
【請求項７】
前記なだらかな支持体は、洗浄槽の上端から外側に辺縁を折り畳むことで形成されることを特徴とする請求項３に記載の洗濯機。
【請求項８】
前記洗濯機は排水構造を更に含み、前記排水構造は、洗浄槽の外壁に設けられて洗浄槽と連通し、洗浄槽から振り出された水を排出するための脱水水路を含み、前記脱水水路の入水端は洗浄槽の上方に設けられていることを特徴とする請求項１〜７のいずれか１項に記載の洗濯機。
【請求項９】
前記洗浄槽には、入水端が組み合わされて装着される入水口が設けられており、前記入水口はバランスリングの下方に設けられ、
好ましくは、前記入水口の上縁はバランスリングの底部と平行であり、
好ましくは、前記入水端は入水口に密封状に装着されることを特徴とする請求項８に記載の洗濯機。
【請求項１０】
前記密封構造は、洗浄槽とバランスリングの間に押し込まれ、一定の変形を有する環状のパッキンとするか、或いは、密封構造は環状のシール剤とすることを特徴とする請求項１〜９のいずれか１項に記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽とパルセータを回転させるよう構成されるモータ及びクラッチと、回転槽の上方に設けられ、回転槽の回転時に重量を補うことでバランスを維持するバランスリング、を含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を増大させるためには、より大きな回転槽が必要となる。即ち、回転槽の高さ又は直径を拡大する必要がある。また、回転槽がより大きなサイズを有する場合には、回転槽を収容する槽及び槽を収容するハウジングもまた、回転槽の拡大に伴って拡大する必要がある。しかし、洗濯機の外観に対応するハウジングの拡大は、洗濯機の設置領域のスペースに大きく規制される。一般的なユーザの家では、洗濯機の設置位置に限りがあるため、洗濯機のハウジングを拡大して洗濯槽の容量を増大させるとの目的を達成することはあまり現実的ではない。そこで、洗濯機のハウジングを拡大することなく、如何にして回転槽の容量を増大させるかが設計者を悩ませる大きな難題となっていた。しかし、容量増大の問題については、孔無しの洗浄槽の誕生によって解決されている。孔無しの洗浄槽は、槽を省略するか小さくし、洗浄水を貯える洗浄槽として回転槽を用いることで配置される。
【０００４】
洗浄槽が高速回転すると、洗浄槽内の水は遠心力の作用によって洗浄槽の壁沿いに上方へ向かい、上端に設けられた排水口まで上昇して排出される。しかし、一部の水は引き続きバランスリングの接続箇所まで上昇し、バランスリングの接続箇所から洗浄槽の外部に溢れ出す。そのため、長期間が経過すると、溢れ出した洗浄水によって筐体のハウジング及びその他の構造が腐食しやすく、回路の短絡も容易に引き起こされる。
【０００５】
以上に鑑みて、本発明を提案する。
【発明の概要】
【発明が解決しようとする課題】
【０００６】
本発明が解決しようとする技術的課題は、従来技術の瑕疵を解消し、洗濯機を提供することである。
【課題を解決するための手段】
【０００７】
上記の技術的課題を解決するために、本発明で採用する技術方案の基本思想は以下の通りである。
【０００８】
本発明の目的は、洗濯機を提供することである。当該洗濯機は、洗浄時に貯水槽となる洗浄槽と、洗浄槽の上方に設けられるバランスリングと、洗浄槽とバランスリングの間に設けられて、洗浄槽とバランスリングの間からの水の溢出を防止するよう配置される密封構造、を含む。好ましくは、前記洗浄槽の槽壁の上端部はバランスリングを支持する。また、密封構造は、洗浄槽の槽壁の上端部とバランスリングの間からの水の溢出を防止するよう配置される。
【０００９】
更なる方案として、前記装着部は、開口が下方を向く環状の凹溝を含み、前記係合部は環状の凹溝の内部に伸入する支持体を含む。前記密封構造は環状の凹溝と支持体の間に設けられる。好ましくは、前記支持体はなだらかな支持体である。
【００１０】
更なる方案として、前記環状の凹溝はバランスリングの外側壁に設けられる。
【００１１】
好ましくは、前記バランスリングの外側壁は、部分的に内周に向かって延伸することで環状の凹溝における環状の上部を形成する。当該環状の上部の外端に位置するバランスリングの外側壁は、引き続きバランスリングの底部に向かって延伸することで環状の凹溝の外環壁を形成する。また、環状の上部の内端に位置するバランスリングの外側壁は、バランスリングの底部に向かって延伸することで環状の凹溝の内環壁を形成する。
【００１２】
より好ましくは、前記密封構造は環状の上部と支持体の間に設けられる。
【００１３】
更なる方案として、前記内環壁は外環壁よりも突出してバランスリングの底部に向かって延伸する。好ましくは、突出した部分と支持体の下端における洗浄槽がネジにより密封接続される。
【００１４】
更なる方案として、前記なだらかな支持体は、洗浄槽の上端から外側に辺縁を巻き込むことで形成される。
【００１５】
更なる方案として、前記なだらかな支持体は、洗浄槽の上端から外側に辺縁を折り畳むことで形成される。
【００１６】
更なる方案として、前記洗濯機は排水構造を更に含む。前記排水構造は、洗浄槽の外壁に設けられて洗浄槽と連通し、洗浄槽から振り出された水を排出するための脱水水路を含む。前記脱水水路の入水端は洗浄槽の上方に設けられている。
【００１７】
更なる方案として、前記洗浄槽には、入水端が組み合わされて装着される入水口が設けられている。前記入水口はバランスリングの下方に設けられる。好ましくは、前記入水口の上縁はバランスリングの底部と平行である。好ましくは、前記入水端は入水口に密封状に装着される。
【００１８】
更なる方案として、前記密封構造は、洗浄槽とバランスリングの間に押し込まれ、一定の変形を有する環状のパッキンとする。或いは、密封構造は環状のシール剤とする。
【発明の効果】
【００１９】
上記の技術方案を用いることで、本発明は従来技術と比較して以下の有益な効果を有する。
【００２０】
１．本発明では、洗浄槽とバランスリングの間に密封構造を設けている。これにより、洗浄槽とバランスリングの間から洗浄槽の外側に水が溢れ出すことで、長期間にわたる飛散によって洗濯機の筐体又はその他の部材が腐食したり、回路が短絡したりするとの事態が防止される。
【００２１】
２．本発明の洗濯機とバランスリングは装着が簡単・便利である。また、容量増大に影響することがなく、装着コストが節約される。
【００２２】
３．洗浄槽は孔無しの洗浄槽であるため、洗濯機の容量増大のためのスペースが提供される。
【００２３】
以下に、図面を組み合わせて、本発明の具体的実施形態につき更に詳細に述べる。
【００２４】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２５】
【図１】図１は、本発明の洗濯機の構造を示す図である。
【図２】図２は、図１のＡ部分の拡大図である。
【図３】図３は、本発明の実施例２における洗濯機の構造を示す図である。
【図４】図４は、図３のＢ部分の拡大図である。
【発明を実施するための形態】
【００２６】
説明すべき点として、これらの図面及び文字記載は何らかの方式で本発明の構想の範囲を制限するとの意図ではなく、特定の実施例を参照して当業者に本発明の概念を説明するためのものである。
【００２７】
本発明における実施例の目的、技術方案及び利点をより明確とすべく、以下では、本発明の実施例にかかる図面を組み合わせて実施例の技術方案につき明瞭簡潔に述べる。なお、以下の実施例は本発明を説明するためのものであって、本発明の範囲を制限するものではない。
【００２８】
本発明の記載において、説明すべき点として、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００２９】
本発明の記載において、説明すべき点として、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３０】
図１〜２に示すように、本実施例は洗濯機を提供する。当該洗濯機は、洗浄時に貯水槽となる洗浄槽１と、洗浄槽１の上方に設けられるバランスリング２と、洗浄槽１とバランスリング２の間に設けられて、洗浄槽１とバランスリング２の間からの水の溢出を防止するよう配置される密封構造３、を含む。
【００３１】
上記の方案において、本実施例の洗濯機には外槽が設けられておらず、洗浄槽１が貯水槽となり得る。即ち、上部にのみ脱水孔が設けられており、中央部と下部には孔の無い内槽２となっている。脱水時には、洗浄水が遠心力の作用で槽壁沿いに上方へ向かい、脱水孔まで上昇して洗浄槽１から排出される。一般的には、パルセータ洗濯機の洗浄槽１の上方にバランスリング２が設けられている。バランスリング２と洗浄槽１は一体的には成型されておらず、後から互いに装着される。そのため、遠心力の作用を受けて槽壁沿いに上昇した水流は、洗浄槽１とバランスリング２の間の装着スリットから極めて容易に溢れ出し、高速回転の作用によって四方に飛び散る恐れがある。また、長期間にわたり極めて容易に飛び散ることで、洗濯機の筐体又はその他の部材が腐食したり、回路が短絡したりする。そこで、本発明では、密封構造３を設けることで洗浄槽１とバランスリング２の間からの水の溢出を防止する。密封構造３を洗浄槽１とバランスリング２の間に設けることで、より良好な密封効果を達成可能であるとともに、密封構造３の固定がより容易となる。この場合、洗浄槽１又はバランスリング２の外側に設けるよりも効果がより良好となる。
【００３２】
更に、前記バランスリング２には装着部２０１が設けられており、前記洗浄槽１の上端には、装着部２０１と係合する係合部１０１が設けられている。前記密封構造３は、装着部２０１と係合部１０１の間に設けられる。
【００３３】
上記の方案において、前記バランスリング２は、装着部２０１と係合部１０１との係合によって洗浄槽１の上方に装着される。密封構造３は装着部と係合部の間に設けられるため、密封効果がより良好となる。また、密封構造３自体の固定も容易となり、外力や長期間の使用に伴って容易に破損したり、元の位置から脱離して密封作用を継続できなくなったりすることがない。
【００３４】
更に、前記装着部２０１は、開口が下方を向く環状の凹溝を含む。前記係合部１０１は環状の凹溝の内部に伸入する支持体を含み、前記密封構造３は環状の凹溝と支持体の間に設けられる。好ましくは、前記支持体はなだらかな支持体である。
【００３５】
上記の方案において、前記環状の凹溝は係合部１０１を収容する。係合部１０１は支持体を介して装着されるとともに、バランスリング２を洗浄槽１の上方に支持する。前記環状の凹溝は開口が下方を向いており、バランスリング２を装着したあとに支持体を環状凹溝の内部に伸入させるため、重力の作用によってバランスリング２が洗浄槽１から容易に脱離することがない。また、環状の凹溝の作用によって、バランスリング２の径方向方の移動も規制される。好ましい実施形態において、前記支持体はなだらかな支持体である。従って、支持体の鋭利な辺縁により密封構造３が容易に損傷又は破損して密封効果を喪失し、ひいては鋭利な支持体によってバランスリング２が破損又は損傷するとの事態が回避される。
【００３６】
更に、前記環状の凹溝はバランスリング２の外側壁に設けられる。
【００３７】
好ましくは、前記バランスリング２の外側壁は、部分的に内周に向かって延伸することで環状の凹溝における環状の上部を形成する。また、当該環状の上部の外端に位置するバランスリング２の外側壁は、引き続きバランスリング２の底部に向かって延伸することで環状の凹溝の外環壁を形成する。また、環状の上部の内端に位置するバランスリング２の外側壁は、バランスリング２の底部に向かって延伸することで環状の凹溝の内環壁を形成する。
【００３８】
より好ましくは、前記密封構造３は環状の上部と支持体の間に設けられる。
【００３９】
上記の方案において、前記環状の凹溝はバランスリング２の底部に設けてもよいし、バランスリング２の側壁に設けてもよい。本実施例において、前記環状の凹溝はバランスリング２の外側壁に設けられる。この場合、バランスリング２は洗浄槽１の外部スペースを大きく占有することがないため、洗浄槽１の容量増大に支障をきたさない。好ましい実施形態において、環状の上部は支持体に押し付けられ、前記外環壁と内環壁が支持体の径方向における移動を規制する。より好ましい実施形態として、前記内環壁と洗浄槽１の内壁は締り嵌めとする。これにより、バランスリング２の装着がいっそう安定し、位置ずれや脱離等の事態が容易には発生しなくなる。好ましい実施形態において、前記密封構造３は環状の上部と支持体の間に設けられる。これにより、更に良好な密封効果が奏されるとともに、密封構造３の固定もより容易となる。また、密封構造３の脱離や位置ずれに起因して密封効果が奏されなくなり、水が洗浄槽１とバランスリング２の間から洗浄槽１の外側に溢れ出す結果、長期間を経たのちに水の飛散によって洗濯機の筐体やその他の部材が腐食したり、回路の短絡が生じたりすることがない。
【００４０】
更に、前記内環壁は外環壁よりも突出してバランスリング２の底部に向かって延伸する。好ましくは、突出した部分と支持体の下端における洗浄槽１がネジにより密封接続される。
【００４１】
上記の方案において、前記内環壁は外環壁よりも突出してバランスリング２の底部に向かって延伸している。即ち、内環壁の高さが外環壁よりも高くなっているため、内環壁と洗浄槽１を係合してバランスリング２を装着するのにいっそう都合がよい。好ましい実施形態では、前記内環壁のうち外環壁よりも突出した部分と支持体の下端における洗浄槽１をネジにより密封接続することで、バランスリング２の固定及び接続を更に保証する。これにより、洗浄槽１が高速回転する際に、バランスリング２のぐらつき、位置ずれ又は洗浄槽１からの脱離といった想定外の事態が防止されるため、洗濯機全体の安全性が向上し、バランスリング２のバランス効果がより良好に発揮される。
【００４２】
更に、前記なだらかな支持体は、洗浄槽１の上端から外側に辺縁を巻き込むことで形成される。
【００４３】
更に、前記なだらかな支持体は、洗浄槽１の上端から外側に辺縁を折り畳むことで形成される。
【００４４】
上記の方案において、前記支持体は単に洗浄槽１の上方の槽壁としてもよい。しかし、一般的に洗浄槽１の槽壁は薄くなっているため、支持体を槽壁の上方そのものとした場合にはやや鋭利となり、環状の凹溝とともに安定的にバランスリング２を固定することも容易でない。仮に丸角が設けられた槽壁であったとしても、薄すぎるためにバランスリング２を固定しにくく、密封するのにも不都合である。そこで、本実施例では、前記なだらかな支持体を、洗浄槽１の上端から外側に辺縁を巻き込むことで形成する。或いは、前記なだらかな支持体を、洗浄槽１の上端から外側に辺縁を折り畳むことで形成する。これにより、支持体と環状の凹溝との接触面積が強化されるため、バランスリング２の装着がより安定し、ぐらつきや位置ずれ等の想定外の事態が発生しにくくなる。
【００４５】
更に、前記洗濯機は排水構造を含んでいる。前記排水構造は、洗浄槽１の外壁に設けられて洗浄槽１と連通し、洗浄槽１から振り出された水を排出するための脱水水路４を含む。前記脱水水路４の入水端は洗浄槽１の上方に設けられている。
【００４６】
更に、前記洗浄槽１には、入水端が組み合わされて装着される入水口１０４が設けられている。前記入水口１０４はバランスリング２の下方に設けられる。
【００４７】
好ましくは、前記入水口１０４の上縁はバランスリング２の底部と平行である。
【００４８】
好ましくは、前記入水端は入水口１０４に密封状に装着される。
【００４９】
上記の方案において、前記入水口１０４はバランスリング２の下方に設けられるため、水がいっそう円滑に洗浄槽１内から排出される。仮にバランスリング２の下方に設けなかった場合には、水が洗浄槽１とバランスリング２の間に溜まって洗浄槽１の外部に溢れ出すとの事態がいっそう生じやすくなる。好ましい実施形態において、前記入水口１０４の上縁とバランスリング２の底部は平行となっているため、水流がバランスリング２と洗浄槽１の間に溜まるとの事態が更に回避され、密封効果がより良好となる。好ましい実施形態において、前記入水端は入水口１０４に密封状に装着される。よって、水が入水端と入水口１０４の間から洗浄槽１の外部に溢れ出し、長期間にわたって水が飛散することで、洗濯機の筐体又はその他の部材が腐食したり、回路が短絡したりするとの事態が防止される。
【００５０】
更に、前記密封構造３は、洗浄槽１とバランスリング２の間に押し込まれ、一定の変形を有する環状のパッキンとする。或いは、密封構造３は環状のシール剤とする。
【実施例２】
【００５１】
図３〜４に示すように、本実施例は洗濯機を提供する。当該洗濯機は、洗浄時に貯水槽となる洗浄槽１と、洗浄槽１の上方に設けられるバランスリング２と、洗浄槽１とバランスリング２の間からの水の溢出を防止するよう配置される密封構造３、を含む。
【００５２】
上記の方案において、本実施例の洗濯機には外槽が設けられておらず、洗浄槽１が貯水槽となり得る。即ち、上部にのみ脱水孔が設けられており、中央部と下部には孔の無い内槽２となっている。脱水時には、洗浄水が遠心力の作用で槽壁沿いに上方へ向かい、脱水孔まで上昇して洗浄槽１から排出される。一般的には、パルセータ洗濯機の洗浄槽１の上方にバランスリング２が設けられている。バランスリング２と洗浄槽１は一体的には成型されておらず、後から互いに装着される。そのため、遠心力の作用を受けて槽壁沿いに上昇した水流は、洗浄槽１とバランスリング２の間の装着スリットから極めて容易に溢れ出し、高速回転の作用によって四方に飛び散る恐れがある。また、長期間にわたり極めて容易に飛び散ることで、洗濯機の筐体又はその他の部材が腐食したり、回路が短絡したりする。そこで、本発明では密封構造３を設けることで、洗浄槽１とバランスリング２の間からの水の溢出を防止する。
【００５３】
更に、前記密封構造３は、洗浄槽１とバランスリング２の間に設けられる。
【００５４】
上記の方案では、洗浄槽１とバランスリング２の間に設けることで、より良好な密封効果を達成可能であるとともに、密封構造３の固定がより容易となる。この場合、洗浄槽１又はバランスリング２の外側に設けるよりも効果がより良好となる。
【００５５】
更に、前記バランスリング２には装着部２０１が設けられており、前記洗浄槽１の上端には、装着部２０１と係合する係合部１０１が設けられている。前記密封構造３は、装着部２０１と係合部１０１の間に設けられる。
【００５６】
上記の方案において、前記バランスリング２は、装着部２０１と係合部１０１との係合によって洗浄槽１の上方に装着される。密封構造３は装着部と係合部の間に設けられるため、密封効果がより良好となる。また、密封構造３自体の固定も容易となり、外力や長期間の使用に伴って容易に破損したり、元の位置から脱離して密封作用を継続できなくなったりすることがない。
【００５７】
更に、前記装着部２０１は、径方向にバランスリング２の側壁から突出するよう設けられる環状の突起を含んでおり、前記係合部１０１は、環状の突起の形状と一致する環状溝を含んでいる。前記密封構造３は、環状の突起と環状溝の間に設けられる。
【００５８】
上記の方案では、環状の突起を設けることでバランスリング２の装着を容易としている。なお、言うまでもなく、バランスリング２の側壁に、内側へ凹陥する凹部を装着部２０１として設けてもよいが、凹部を設けるとバランスリング２の大きさや強度に影響を及ぼし、バランス効果を低下させる恐れがある。そのため、本願では、前記装着部２０１が、バランスリング２の側壁から突出するよう設けられる環状の突起を含むことが好ましい。
【００５９】
更に、前記洗浄槽１は、環状溝の下方に設けられて、洗浄槽１とバランスリング２との隙間を縮小することで水を堰き止めるよう配置される止水部１０２を含む。洗浄槽１と止水部１０２及びバランスリング２の間には集水室１０３が形成される。前記集水室１０３は、上昇してきた水を収集するよう配置される。
【００６０】
上記の方案において、前記洗浄槽１は止水部１０２を更に含んでいる。前記止水部１０２は洗浄槽１とバランスリング２との隙間を縮小しているため、水流が止水部１０２の手前まで上昇したときに、一部の水が環状溝に到達し、環状溝の内部を通じて洗浄槽１から溢れ出すとの事態が防止される。これにより、密封構造３における密封圧力が低下する。止水部１０２の存在によって、洗浄槽１とバランスリング２との隙間は縮小されているため、水が止水部１０２を通過する際にはより大きな圧力が必要となる。そのため、集水室１０３において大部分の水を収集する。
【００６１】
更に、前記洗濯機は排水構造を含んでいる。前記排水構造は、洗浄槽１の外壁に設けられて洗浄槽１と連通し、洗浄槽１から振り出された水を排出するための脱水水路を含む。前記脱水水路の入水端は洗浄槽１の上方に設けられている。
【００６２】
更に、前記入水端は、止水部１０２の下方の集水室１０３に設けられている。
【００６３】
上記の方案において、入水端は集水室１０３に設けられているため、集水室１０３内で圧力が増大した水がより容易に入水端から脱水水路に進入して排出される。
【００６４】
更に、前記止水部１０２は、洗浄槽１の外側から内側に窪むことで形成されるくびれ部である。
【００６５】
更に、前記くびれ部の上端は、外周に向かって延伸することでバランスリング２の装着部２０１を支持する支持部を形成している。前記支持部は、上方へ延伸を続けることで、バランスリング２の装着部２０１を取り囲む収容部を形成している。また、前記収容部の上端を内側へ折り返して転圧することで、バランスリング２の装着部２０１を固定する固定部を形成している。
【００６６】
更に、前記支持部、収容部、固定部によって、開口が内側を向く環状溝が形成される。好ましくは、前記くびれ部と環状溝によって形成される全ての角は丸角となっている。
【００６７】
上記の方案において、前記支持部は環状溝の底面をなしており、前記収容部は環状溝の側面をなしている。また、前記固定部は環状溝の上面をなしている。前記収容部は、装着部２０１を収納するとともに、バランスリング２の径方向の移動を規制する。前記くびれ部と環状溝によって形成される全ての角は丸角となっている。前記丸角によれば、装着や運搬の過程で操作者を傷つけるとの事態を防止可能であるとともに、鋭角によるバランスリングの損傷も防止される。更には、回転過程で洗濯機内のその他の管路や部材を損傷することも回避可能である。
【００６８】
更に、前記密封構造３は、固定部と環状の突起の間に設けられる。
【００６９】
上記の方案において、前記密封構造３は、支持部と環状の突起の間に設けてもよいし、収容部と環状の突起の間に設けてもよい。また、本実施例で述べたように、固定部と環状の突起の間に設けてもよい。支持部と環状の突起の間に設ける場合、前記密封構造３は、バランスリング２からの圧力を余分に受けるため破損しやすくなる。且つ、環状の突起の下面に設ける際には装着も容易でない。また、収容部と環状の突起の間に設ける場合、前記密封構造３は、洗浄槽１の回転時に洗浄槽１とバランスリング２の双方から付与される径方向の押圧力を受けるため破損しやすくなる。これに対し、固定部と環状の突起の間に設ける場合には、前記密封構造３が受ける圧力が最小となるため破損しにくい。且つ、装着しやすく、密封効果も良好となる。
【００７０】
更に、前記密封構造３は扁平状構造をなしている。好ましくは、前記密封構造３と環状の突起との密着面の摩擦係数はその他の面の摩擦係数よりも大きい。
【００７１】
上記の方案において、前記密封構造３は扁平状構造をなしている。これは、扁平状構造とすることで、固定部の転圧及び折り返し時に、巻き込みや変位、歪み等の変形が発生しにくいためである。通常は、前記密封構造３は扁平のシート状構造とする。また、前記密封構造３と環状の突起との密着面の摩擦係数をその他の面の摩擦係数よりも大きくすることで、密封構造３は、固定部の転圧及び折り返し時に移動や巻き込みを生じにくい。
【００７２】
更に、前記密封構造３は、洗浄槽とバランスリングの間で押圧されて一定の歪みを有する環状のパッキン又は環状のシール剤である。
【実施例３】
【００７３】
本実施例では、前記止水部１０２が、洗浄槽１の内側に設置される環状の凸部である点で実施例１とは異なっている。前記環状の凸部の上面と、洗浄槽１の上方の内側への折り返し及び転圧によって、バランスリング３を固定するための係合部１０１における開口が内側を向いた環状溝が形成される。
【実施例４】
【００７４】
本実施例では、前記環状溝が、洗浄槽１の内側から外側へ窪んだ環状の凹溝であり、止水部１０２を含まない点で実施例１とは異なっている。
【００７５】
前記環状の凹溝の下面は、バランスリング２の装着部２０１を支持する支持部をなしている。前記支持部は、上方へ延伸を続けることで、バランスリング２の装着部２０１を取り囲む収容部を形成している。また、前記収容部の上端を内側へ折り返して転圧することで、バランスリング２の装着部２０１を固定する固定部を形成している。
【００７６】
前記密封構造３は、固定部と環状の突起の間に設けられる。
【００７７】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００７８】
１  洗浄槽
１０１  係合部
１０２  止水部
１０３  集水室
１０４  入水口
２  バランスリング
２０１  装着部
３  密封構造
４  水路
【図１】
2021517020.tif 000003
【図２】
2021517020.tif 000004
【図３】
2021517020.tif 000005
【図４】
2021517020.tif 000006
【国際調査報告】
2021517020.tif 000007
2021517020.tif 000008
2021517020.tif 000009
2021517020.tif 000010
2021517020.tif 000011